【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
画像データを表示する表示手段と、
外部から第１画像データと第２画像データとを取得する画像取得手段と、
前記第１画像データに関連付けられた出力装置情報と前記第２画像データに関連付けられた出力装置情報とを比較して、比較した結果が一致している場合、前記第１画像データ及び前記第２画像データのうち一方の画像データに対応する位置に前記出力装置情報を配置し、かつ他方の画像データに対応する位置に前記出力装置情報を配置しないで、前記第１画像データと前記第２画像データとを前記表示手段に同時に表示させる表示制御手段と、を有する
ことを特徴とする表示装置。
【請求項２】
前記出力装置情報は、画像出力装置の機種名を含む
ことを特徴とする請求項１に記載の表示装置。
【請求項３】
前記出力装置情報は、画像出力装置の絞り値、シャッタースピード、ＩＳＯ感度、又は、焦点距離を含む
ことを特徴とする請求項１に記載の表示装置。
【請求項４】
画像データを表示する表示手段と、
外部から第１画像データを取得する画像取得手段と、
前記第１画像データと前記第１画像データを複製した第２画像データとを同時に表示する表示モードである場合、前記第１画像データ及び前記第２画像データのうち一方の画像データに所定の画像処理を施し、かつ他方の画像データに前記所定の画像処理を施さないで、前記第１画像データと前記第２画像データとを前記表示手段に同時に表示させる表示制御手段と、を有する
ことを特徴とする表示装置。
【請求項５】
前記所定の画像処理を施す対象を示す設定情報を保持する保持手段を有し、
前記表示制御手段は、前記表示モードであり、かつ前記設定情報が、前記所定の画像処理を施す対象が全画像データ又は前記表示手段の全領域であることを示している場合、前記所定の画像処理を施す対象を一部の画像データ又は前記表示手段の一部の領域に変更する
ことを特徴とする請求項４に表示装置。
【請求項６】
前記所定の画像処理は、画像データの輪郭部分にあたる領域を強調表示するピーキング処理を含む
ことを特徴とする請求項４に記載の表示装置。
【請求項７】
前記所定の画像処理は、画像データの輝度レベル毎に異なる色で着色するフォルスカラー処理を含む
ことを特徴とする請求項４に記載の表示装置。
【請求項８】
外部から第１画像データと第２画像データとを取得するステップと、
前記第１画像データに関連付けられた出力装置情報と前記第２画像データに関連付けられた出力装置情報とを比較して、比較した結果が一致している場合、前記第１画像データ及び前記第２画像データのうち一方の画像データに対応する位置に前記出力装置情報を配置し、かつ他方の画像データに対応する位置に前記出力装置情報を配置しないで、前記第１画像データと前記第２画像データとを表示手段に同時に表示させるステップと、を有する
ことを特徴とする表示制御方法。
【請求項９】
外部から第１画像データを取得するステップと、
前記第１画像データと前記第１画像データを複製した第２画像データとを同時に表示する表示モードである場合、前記第１画像データ及び前記第２画像データのうち一方の画像データに所定の画像処理を施し、かつ他方の画像データに前記所定の画像処理を施さないで、前記第１画像データと前記第２画像データとを前記表示手段に同時に表示させるステップと、を有する
ことを特徴とする表示制御方法。
【請求項１０】
請求項８又は９に記載の表示制御方法の各ステップをコンピュータに実行させるためのプログラム。
【手続補正２】
【補正対象書類名】明細書
【補正対象項目名】０００７
【補正方法】変更
【補正の内容】
【０００７】
上記の課題を解決するために、本発明の第１の態様の表示装置は、画像データを表示する表示手段と、外部から第１画像データと第２画像データとを取得する画像取得手段と、前記第１画像データに関連付けられた出力装置情報と前記第２画像データに関連付けられた出力装置情報とを比較して、比較した結果が一致している場合、前記第１画像データ及び前記第２画像データのうち一方の画像データに対応する位置に前記出力装置情報を配置し、かつ他方の画像データに対応する位置に前記出力装置情報を配置しないで、前記第１画像データと前記第２画像データとを前記表示手段に同時に表示させる表示制御手段と、を有することを特徴とする。
【手続補正３】
【補正対象書類名】明細書
【補正対象項目名】０００８
【補正方法】変更
【補正の内容】
【０００８】
本発明の第２の態様の表示装置は、画像データを表示する表示手段と、外部から第１画像データを取得する画像取得手段と、前記第１画像データと前記第１画像データを複製した第２画像データとを同時に表示する表示モードである場合、前記第１画像データ及び前記第２画像データのうち一方の画像データに所定の画像処理を施し、かつ他方の画像データに前記所定の画像処理を施さないで、前記第１画像データと前記第２画像データとを前記表示手段に同時に表示させる表示制御手段と、を有することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００４３
【補正方法】変更
【補正の内容】
【００４３】
カメラ情報画面生成部１２８は、メタ情報解析部１２５から入力された第１画像データ及び第２画像データのメタ情報を参照してカメラ情報画面を生成し、カメラ情報画面を画面合成部１２３に出力する。カメラ情報画面生成部１２８は、例えば、図５に示した出力装置情報を含むカメラ情報画面を生成する。また、カメラ情報画面生成部１２８は、同一性判定部１２６から入力された判定結果に応じて、カメラ情報画面を表示するか表示しないかを判定する。カメラ情報画面生成部１２８は、同一性判定部１２６から入力された判定結果が、第１画像データと第２画像データとが同一の撮影装置５から出力されたことを示している場合、一方の画像データに対して出力装置情報を重畳し、他の画像データに対して出力装置情報を重畳しないようにしてカメラ情報画面を生成する。カメラ情報画面生成部１２８の動作の詳細については後述する。
【手続補正７】
【補正対象書類名】明細書
【補正対象項目名】００６９
【補正方法】変更
【補正の内容】
【００６９】
表示装置２は、表示装置１と同様の画像取得部１１、表示制御部１２及び表示部１３に加えて、画像出力部１４を有している。画像出力部１４は、情報付加部１４１と、第１画像出力部１４２と、第２画像出力部１４３とを有する。画像出力部１４は、画像取得部１１が取得した複数の画像データのうちの少なくとも一つの画像データに、表示装置２に関連付けられた表示装置情報を付加して出力する。表示装置情報の詳細については後述する。
【手続補正８】
【補正対象書類名】明細書
【補正対象項目名】００９３
【補正方法】変更
【補正の内容】
【００９３】
設定情報保持部１２７は、画像複製部１２９が複製マルチ表示モードで複製を実行すると判定した場合、設定情報保持部１２７が保持している左画面用の画質モード及び右画面用の画質モードを参照し、左画面用の画質モードと右画面用の画質モードとが同一であるか否かを判定する（Ｓ５０３）。設定情報保持部１２７は、左画面用の画質モードと右画面用の画質モードとが同一であると判定した場合は、左右の画像が完全に同一であると判定し、「画質設定対象」を変更するかどうかを判定するためにＳ５０４へ移行する。設定情報保持部１２７は、左画面用の画質モードと右画面用の画質モードとが異なる場合は、「画質設定対象」を変更することなく処理を終了する。
【手続補正９】
【補正対象書類名】明細書
【補正対象項目名】００９８
【補正方法】変更
【補正の内容】
【００９８】
＜第４の実施形態＞
第１の実施形態〜第３の実施形態においては、表示装置１〜表示装置３が、画像処理を施したり、出力装置情報を表示したりする対象となる画像データ又は領域を決定した。これに対して、第４の実施形態は、表示装置又は表示パネルに対して画像を出力する電子機器が、画像処理を施したり、出力装置情報を表示したりする対象となる画像データ又は領域を決定し、画像処理後の画像又は出力装置情報を重畳した後の画像を表示装置又は表示パネルに出力するという点で、第１の実施形態〜第３の実施形態と異なる。